(57)【要約】【課題】  記録媒体に記録された画像に日付情報を付加してプリントを行う際に、プリントされる日付情報が確実に確認でき、必要に応じて修正を可能として、誤った日付情報が画像と共にプリントされることを防止できる電子カメラを得る。【解決手段】  記録媒体に記録されている画像ファイルから、プリンターへ出力する画像を選択すると共に、少なくとも選択された画像に対応づけられた日付情報のプリントの有無を設定するプリント条件設定モードを有し、プリンターへ出力される画像データと共に画像データに対応づけられた日付情報を画像表示部で確認可能とした電子カメラとする。【選択図】        図５
2006229666.tif 000002
【特許請求の範囲】
【請求項１】
記録媒体に記録された画像ファイルの画像データと、該画像データに対応づけられた日付情報とを、プリンターへ出力可能な電子カメラにおいて、
前記記録媒体に記録されている画像ファイルから、前記プリンターへ出力する画像を選択すると共に、少なくとも選択された画像に対応づけられた日付情報のプリントの有無を設定するプリント条件設定モードを有し、
前記プリント条件設定モードにおいて、前記プリンターへ出力される前記画像データと共に前記画像データに対応づけられた日付情報を画像表示部で確認可能としたことを特徴とする電子カメラ。
【請求項２】
着脱可能なメモリカードへ、撮影記録された画像データと、該画像データのプリント条件と、を記録可能な電子カメラにおいて、
前記メモリカードに記録されている画像データから、プリントする画像を選択すると共に、選択された画像に、少なくとも日付情報のプリントの有無を設定するプリント条件設定モードを有し、
前記プリント条件設定モードにおいて、選択された前記画像データの画像と共に前記日付情報を画像表示部で確認可能としたことを特徴とする電子カメラ。
【請求項３】
前記プリント条件設定モードにおいて、前記日付情報の修正を可能としたことを特徴とする請求項１又は２に記載の電子カメラ。
【請求項４】
前記プリント条件設定モードで修正された日付情報は、修正前の日付情報と共に前記記録媒体に記録されることを特徴とする請求項３に記載の電子カメラ。
【請求項５】
前記プリント条件設定モードで修正された日付情報は、修正前の日付情報に上書きして記録されることを特徴とする請求項３に記載の電子カメラ。
【請求項６】
前記プリント条件設定モードにおいて、プリントされる日付のレイアウト設定を可能としたことを特徴とする請求項１〜５のいずれか１項に記載の電子カメラ。
【発明の詳細な説明】
【技術分野】
【０００１】
本発明は、電子カメラに関し、特に撮影画像とこの撮影画像に付帯して記録されている日付情報に関するものである。
【背景技術】
【０００２】
近年、固体撮像素子を用いて得られたデータに各種の処理を施し、画像データとして記録媒体に記録する電子カメラ、所謂デジタルカメラが急速に普及した。デジタルカメラにおいては、従来のフィルムカメラがフィルム上に画像と共に日付を露光して記録していたのに対し、撮影した画像データと共に記録される付帯情報（例えば、ＥＸＩＦフォーマット）として撮影時の日付情報が記録されるようになっている。
【０００３】
また、撮影画像をプリントとして出力する際には、カメラ側で画像指定を行い、日付の写し込みを選択すると、プリンタ側では画像データと日付情報を読み込んで、所定の位置へプリントされるようになっている。
【０００４】
しかし、例えば電池交換で日付情報がリセットされたままであったり、海外で現地時間に変更したままで帰国し日付修正を忘れたままで撮影が行われた場合、日付情報が誤って記録される。
【０００５】
このような問題に対し、充電機能付きのクレードルに日付情報を持たせ、充電のためにカメラをクレードルに挿入した際に、カメラの日付情報をクレードルの日付情報に更新するものがある（例えば、特許文献１参照）。
【０００６】
また、プリント業者にプリントを依頼する場合に、ユーザーが修正依頼をすると、修正された日付でプリントが行われるようにしたものがある（例えば、特許文献２参照）。
【特許文献１】特開２００４−０７７７２９号公報
【特許文献２】特開２００４−２６０３０３号公報
【発明の開示】
【発明が解決しようとする課題】
【０００７】
しかしながら、上記特許文献１に記載のものは、クレードルを必要とし、更にクレードルが有している日付情報が誤りである場合には、解決策にならないものである。
【０００８】
また、上記特許文献２に記載のものは、プリント業者の有している大型の処理装置側で修正を行うシステムであり、依頼する際に修正依頼する必要があり、利便性に乏しい。また、同様の手法をパーソナルユースを目的とした小型の簡易なプリンタで行おうとしても、小型の簡易なプリンタでは時計機能を有していないものが大部分であり、汎用性に乏しいものである。
【０００９】
本発明は上記問題に鑑み、記録媒体に記録された画像に日付情報を付加してプリントを行う際に、プリントされる日付情報が確実に確認でき、必要に応じて修正を可能として、誤った日付情報が画像と共にプリントされることを防止できる電子カメラを得ることを目的とするものである。
【課題を解決するための手段】
【００１０】
上記の課題は、以下の構成により解決される。
【００１１】
１）  記録媒体に記録された画像ファイルの画像データと、該画像データに対応づけられた日付情報とを、プリンターへ出力可能な電子カメラにおいて、前記記録媒体に記録されている画像ファイルから、前記プリンターへ出力する画像を選択すると共に、少なくとも選択された画像に対応づけられた日付情報のプリントの有無を設定するプリント条件設定モードを有し、前記プリント条件設定モードにおいて、前記プリンターへ出力される前記画像データと共に前記画像データに対応づけられた日付情報を画像表示部で確認可能としたことを特徴とする電子カメラ。
【００１２】
２）  着脱可能なメモリカードへ、撮影記録された画像データと、該画像データのプリント条件と、を記録可能な電子カメラにおいて、前記メモリカードに記録されている画像データから、プリントする画像を選択すると共に、選択された画像に、少なくとも日付情報のプリントの有無を設定するプリント条件設定モードを有し、前記プリント条件設定モードにおいて、選択された前記画像データの画像と共に前記日付情報を画像表示部で確認可能としたことを特徴とする電子カメラ。
【００１３】
３）  前記プリント条件設定モードにおいて、前記日付情報の修正を可能とした１）又は２）の電子カメラ。
【００１４】
４）  前記プリント条件設定モードで修正された日付情報は、修正前の日付情報と共に前記記録媒体に記録される３）の電子カメラ。
【００１５】
５）  前記プリント条件設定モードで修正された日付情報は、修正前の日付情報に上書きして記録される３）の電子カメラ。
【００１６】
６）  前記プリント条件設定モードにおいて、プリントされる日付のレイアウト設定を可能とした１）〜５）のいずれかの電子カメラ。
【発明の効果】
【００１７】
本発明により、プリントされる日付情報が確実に確認でき、必要に応じて修正を可能として、誤った日付情報が画像と共にプリントされるのを防止することができる電子カメラを得ることが可能となる。
【発明を実施するための最良の形態】
【００１８】
以下、実施の形態により本発明を詳しく説明するが、本発明はこれに限定されるものではない。
【００１９】
図１は、本発明に係る電子カメラであるデジタルカメラ１１０の外観を示す図である。図１（ａ）はカメラ前面の斜視図、図１（ｂ）はカメラ背面の斜視図である。
【００２０】
図１（ａ）において、８１はズーム撮像光学系、８２はファインダ窓、８３はレリーズ釦、８４はフラッシュ発光部、８６は調光用センサ窓、８７はストラップ取り付け部、８８はＵＳＢ接続端子部である。８９はレンズカバーであり、不使用時はズーム撮像光学系８１は沈胴する。このレンズカバー８９のスライド操作に連動してメインスイッチのＯＮ、ＯＦＦが切り替えられるようになっている。
【００２１】
レリーズ釦８３はその１段の押し込みによりカメラの撮影準備動作、即ち焦点合わせ動作や測光動作が行われ、その２段の押し込みにより撮影露光動作が行われる。
【００２２】
図１（ｂ）において、９１はファインダ接眼部、９２は赤と緑の表示ランプであり、ＡＦやＡＥの情報を、点灯もしくは点滅により撮影者に表示するものである。９３はズーム釦であり、ズームアップ、ズームダウンをおこなう釦である。９５はメニュー／セット釦、９６は選択釦で４方向スイッチであり、１００は画像表示部であり画像やその他文字情報等を表示する。メニュー／セット釦９５で、画像表示部１００上に各種のメニューを表示させ、選択釦９６で選択し、メニュー／セット釦９５で確定させる機能を有している。９７は再生釦で、撮影した画像の再生をおこなう釦である。９８はディスプレイ釦で、画像表示部１００に表示された画像やその他文字情報の表示や非表示を選択する釦である。９９は消去釦で、撮影記録した画像の消去をおこなう釦である。１０１は三脚穴、１０２は電池／カード蓋である。電池／カード蓋１０２の内部には、本カメラの電源を供給する電池と、撮影した画像を記録するカード用のスロットが備えられており、画像を記録する記録用メモリカードが挿脱可能になっている。
【００２３】
図２は、本実施の形態に係る電子カメラであるデジタルカメラ１１０の内部構成の一例を示す概略ブロック図である。なお、本発明は、撮像素子としてＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が適用可能であるが、本例においては、撮像素子としてＣＣＤ型イメージセンサを用いたもので説明する。
【００２４】
同図において、４０は各回路を制御する制御部（以下、ＣＰＵとも称す）である。撮像レンズ８１は、レンズ部１、絞りシャッターユニット２、赤外光カットフィルタとオプチカルローパスフィルタを積層した光学フィルタ３、第１モータ４、第２モータ５及び絞りシャッタアクチュエータ６で構成されている。
【００２５】
レンズ部１は、より詳しくは複数のレンズを有するレンズ系として構成されており、これら複数のレンズの光軸上の位置を第１モータ４を駆動することにより移動させ、変倍がおこなわれるようになっている。また、これら複数のレンズの内、フォーカシングに用られるレンズは、第２モータ５により駆動され焦点調節がおこなわれる。更に、絞りシャッターユニットは絞りシャッタアクチュエータ６により開閉し、露光量の調定がなされる。この、第１モータ４、第２モータ５、絞りシャッタアクチュエータ６は、それぞれＣＰＵ４０からの制御信号により制御される第１モータ駆動回路７、第２モータ駆動回路８、絞りシャッタ駆動回路９を介して駆動される。
【００２６】
タイミングジェネレータ１０は、タイミング制御回路１１から送られるクロックに基づきＣＣＤ１２の駆動制御信号を生成するものであり、例えばＣＣＤ１２の電荷の蓄積開始と終了のタイミング信号、各画素の電荷蓄積量の読み出し制御信号（水平同期信号、垂直同期信号、転送信号）等のクロック信号を生成しＣＣＤ１２へ出力する。撮像回路１３は、ＣＣＤ１２により被写体光が光電変換され、例えば原色系のフィルタが用いられたＣＣＤの場合、Ｒ（赤）、Ｇ（緑）、Ｂ（青）の各色成分の画像アナログ信号を信号処理部１４へ出力する。
【００２７】
信号処理部１４は、撮像回路１３から出力された画像アナログ信号に信号処理を施すものである。信号処理部１４においては、相関二重サンプリング（ＣＤＳ）、オートゲインコントロール（ＡＧＣ）により画像アナログ信号のノイズ低減とゲイン調整をおこないＡ／Ｄ変換部１５へ出力する。
【００２８】
Ａ／Ｄ変換部１５では、タイミング制御回路１１からのＡ／Ｄ変換用クロックに基づき、入力された画像アナログ信号をＡ／Ｄ変換し、デジタル信号（以下、画素データと称す）に変換する。次いで、画素データをバッファメモリ１６に格納した後、ＣＰＵ４０に画素データを送り、ＣＰＵ４０では画素データの黒レベル補正をおこなった後、ホワイトバランス（ＷＢ）の調整、γ補正、ＹｃｂＣｒ変換等が行われる。
【００２９】
ＶＲＡＭ１７は、画像表示部１００で表示する画像のバッファメモリであり、少なくとも画像表示部１００の画素数と表示に必要なビット数の積算値以上の記憶容量を有している。画像表示部１００には、例えばＬＣＤ、有機ＥＬ等の表示装置が用いられる。なお、使用される表示装置に応じ、ＶＲＡＭ１７と画像表示部１００の間に、画素データをＤ／Ａ変換するＤ／Ａ変換部が設けられる。
【００３０】
これにより、撮影時のフレーミング時には、所定時間間隔で撮像された画素データがバッファメモリ１６に記憶されると共に、ＶＲＡＭ１７へ転送され、画像表示部１００に表示（スルー画像表示又はプレビュー画像表示）がおこなわれ、被写体像を確認することができ、ファインダとして使用できるようになっている。
【００３１】
また、着脱可能な画像記録用のメモリーカード５０に記録された撮影済みの画像は、圧縮伸張回路４９へ転送され、ＣＰＵ４０で所定の信号処理後にＶＲＡＭ１７へ転送され、画像表示部１００に表示がおこなわれ、再生が可能となっている。
【００３２】
インターフェイス３２は、外部のパーソナルコンピュータ或いはプリンタと信号の授受をおこなうもので、ＵＳＢ接続端子部８８を介して、外部のパーソナルコンピュータ或いはプリンタ等と通信を行うものである。
【００３３】
フラッシュ制御回路２１は、フラッシュ発光部８４の発光を制御する回路である。フラッシュ制御回路２１は、ＣＰＵ４０により制御され、フラッシュ発光の有無、発光タイミング、発光用コンデンサへの充電等を制御すると共に、フラッシュ反射光受光用センサ２３に接続された受光回路２４から入力される発光停止信号に基づき発光を停止させるようになっている。
【００３４】
時計回路２５は、撮影された日時を管理し日付情報を生成するものであり、各部へ電源を供給する給電回路２７から電源供給を受けて作動するようにしてもよいが、図示しない別電源で作動させることが望ましい。
【００３５】
ＣＰＵ４０及び各部への電力供給は給電回路２７によっておこなわれる。この給電回路２７には、電池２６或いは、ＤＣ入力端子２８を介しＡ／Ｃアダプタ２９から電力が供給される。
【００３６】
操作スイッチ群（以下操作ＳＷ群とも称す）３０は、例えばメインスイッチ、メインダイアル、レリーズ釦、ズーム釦、フラッシュモード選択釦、メニュー釦、セット釦等の各種操作釦によりＯＮ／ＯＦＦするスイッチ群である。この操作ＳＷ群３０のＯＮ／ＯＦの信号は、ＣＰＵ４０に送られ、ＣＰＵ４０はＯＮされた操作ＳＷに応じて各部の動作を制御することになる。
【００３７】
ＥＥＰＲＯＭ３１は、不揮発性のメモリであり、カメラの個々に異なる特性値を記憶させておくために用いられる。この個々に異なる特性値とは、例えば撮像レンズ８１の各焦点距離におけるフォーカシングレンズの無限位置の情報等であり、製造工程内で書き込まれるものである。この、カメラ個々に異なる特性値を、ＣＰＵ４０は必要に応じＥＥＰＲＯＭ３１から読み出し、各部の制御に利用するようになっている。
【００３８】
なお、ＣＰＵ４０は、ＲＯＭ２０に格納されたソフトウェアに基づき、データの授受、各部のタイミング制御をおこなうのみならず、その他種々の機能をおこなうものとなっている。例えば、バッファメモリ１６から得られた画素データに基づき、被写体輝度を取得し、撮像素子の露光感度の設定、撮影時の絞り値とシャッタ速度の露光条件の決定（ＡＥ準備動作）、フォーカシングレンズを小刻みに移動させ、それぞれで得られた画素データから画像データを生成し、この画像データに基づいて評価をおこない最適なフォーカシングレンズ位置の決定（ＡＦ動作）制御、等を有するものである。
【００３９】
以上が、本実施の形態に係る電子スチルカメラの内部ブロック構成である。
【００４０】
なお、以下の説明においては、特に指定のない場合は、制御部（ＣＰＵ）がＲＯＭに格納されたソフトウェアに基づいて行うものであり、画像表示部に適宜表示される表示に基づいて、操作スイッチ群による入力等が行われるものである。
【００４１】
（第１の実施の形態）
以下、本発明に係る第１の実施の形態について説明する。本例は、カメラとプリンタをケーブルで接続し、カメラの記録媒体に記録された画像ファイルの画像データと、画像データに対応づけられた日付情報とを、プリンターへ出力して直接印刷を行う、所謂ダイレクトプリントができるよう構成されたデジタルカメラの例である。
【００４２】
なお、カメラとプリンター間の接続は、ＵＳＢケーブルで接続した例で説明するが、赤外線や無線による接続であってもよいのは言うまでもない。
【００４３】
図３は、デジタルカメラ１１０内の記録媒体である画像記録用のメモリーカードに記録されている１駒分の画像ファイルのデータ構造を示す図である。
【００４４】
同図に示すように、１駒分の画像ファイルには撮影で得られた本画像データ１１１と、サムネイル画像データ１１２と、プリント条件記憶領域１１３と、ヘッダー領域１１４で構成されている。サムネイル画像データ１１２は、撮影で得られた本画像データ１１１から生成された小サイズの画像データであり、カメラの画像表示部に画像表示を行う場合等に用いられる。ヘッダー領域１１４には本画像データ１１１に対応づけられた付帯情報が記録され、例えば、ファイル名、この本画像の撮影に使用した絞り値及びシャッタ秒時等の撮影条件、撮影年月日、撮影時刻等が格納されている。
【００４５】
図４は、第１の実施の形態に係る電子カメラであるデジタルカメラ１１０の画像プリント時の接続構成を示した模式図である。
【００４６】
同図において、１１０は本実施の形態に係る電子カメラであるデジタルカメラ、１２０はプリンタ、１３０はＵＳＢケーブルである。同図に示すように、デジタルカメラ１１０とプリンタ１２０はＵＳＢケーブル１３０で接続されている。
【００４７】
図５は、第１の実施の形態に係る電子カメラであるデジタルカメラ１１０のダイレクトプリントモード時の概略動作を示すフローチャートである。同図は、図４に示したデジタルカメラ１１０とプリンタ１２０がＵＳＢケーブル１３０で接続された状態での概略動作を示している。以下、同図に示すフローに従い説明する。
【００４８】
まず、カメラのメニューからＵＳＢ接続先としてプリンタを選択する（ステップＳ１１１）。これは、カメラのメニュー／セット釦、選択釦等の操作釦を用いて、画像表示部に表示されるメニューから選択及びセットされる。次いで、カメラとプリンタとの双方で、ネゴシエーションをとり、相互の通信状態を確立する（ステップＳ１１２）。
【００４９】
なお、カメラによっては、静止画記録モード、動画記録モード、再生モード及びダイレクトプリントモードの設定を上述のメニューから行わずに移行できるダイアル部材を備えたものがあり、このようなカメラについては、ケーブル接続した状態でダイレクトプリントモードにダイアル設定すると、相互の通信状態を確率するものである。また、このようなカメラについては、ダイレクトプリントモードからの解除は、ダイヤル設定で他のモードへ変更することでなされる。
【００５０】
この後、カメラの画像表示部に撮影記録された画像をインデックス表示する（ステップＳ１１３）。なお、インデックス表示ではなく、コマ送りで表示するものでもよい。次いで、インデックス表示された画像から、プリントしたいコマを選択釦により、使用者に選択（ステップＳ１１４）させ、セット釦の操作（ステップＳ１１５）によりプリントするコマが選択される。この選択されたコマの画像を画像表示部全面を用いて大きく表示する（ステップＳ１１６）。
【００５１】
次に、使用者に日付を画像と共にプリントするか否かを判断させる（ステップＳ１１７）。このステップＳ１１７以降が、第１の実施の形態に係るプリント条件の設定を行うプリント条件設定モードである。ここでは、例えば、選択されたコマの画像に重ねて、日付のプリントをするか否かを表示し、使用者に選択させることで判断が行われる。
【００５２】
使用者が日付の写し込みを選択する（ステップＳ１１７；Ｙｅｓ）と、選択されたコマの画像に対応した撮影日のデータを読み出して、選択されたコマの画像に重ねて表示する（ステップＳ１１８）。撮影日のデータは、ヘッダー領域の本画像データに対応づけられた付帯情報から読み出されたものである（図３参照）。また、表示位置はデフォルトの位置として、例えば画面右下に表示される。
【００５３】
次いで、表示された日付を修正するか否かを使用者に判断させる（ステップＳ１１９）。ここでは、選択されたコマの画像とヘッダー領域から読み出された日付の表示に加えて、日付の修正をするか否かの選択をさせる表示を行い、使用者に選択させることで判断が行われる。使用者が、日付の修正を選択する（ステップＳ１１９；Ｙｅｓ）と、図６に示すプリント条件設定モード内にある日付修正モードに移行する。即ち、例えば電池交換で日付情報がリセットされたままであったり、海外で現地時間に変更したままで帰国し日付修正を忘れたままで撮影が行われ、日付情報が誤って記録されている場合には、使用者が日付を修正するよう選択することで、この日付修正モードに入ることができる。
【００５４】
図６は、日付修正モードの概略を示すフローチャートである。使用者が、日付の修正を選択する（ステップＳ１１９；Ｙｅｓ）と、この日付修正モードに移行する。
【００５５】
まず、修正してプリントしたい新たな日付を使用者に入力させる（ステップＳ２１１）。これにより画像と共に修正された新たな日付が表示される。なお、この修正された新たな日付は、第１優先とする優先順位をつけて、修正前の日付情報と共にヘッダー領域に記録されるように構成してもよいし、上書きするよう構成してもよい。
【００５６】
次いで、表示順序を選択する（ステップＳ２１２）。例えば、年月日、月日年、日月年の表示順からいずれかを使用者に選択させる。これにより、選択された表示順序に変更されて表示がなされる。次いで、文字サイズ、フォント、文字色を選択指定（ステップＳ２１３）する。文字サイズは例えば大、中、小から選択させ、文字色については、白抜き、黒、オレンジ、黄色等から選択させる。
【００５７】
更に、プリント位置の指定、即ちレイアウト設定を行わせる（ステップＳ２１４）。ここでは、（１）指定された文字色が背景に埋もれないように、背景となる画像の色を判断して自動的に位置を決める、（２）画面内の上下左右の位置を指定する、等の選択肢があり、これらから選択指定を行う。なお、両面プリント可能なプリンタの場合には、裏面にプリントするという選択肢を追加してもよい。
【００５８】
この後、使用者への確認を兼ねて、指定された表示順序、文字サイズ、フォント、文字色、プリント位置で、画像と共に日付が画像表示部に重ねて表示される（ステップＳ２１５）。
【００５９】
次いで、使用者に日付を再度修正するか判断させ（ステップＳ２１６）、再度の修正が必要な場合（ステップＳ２１６；Ｙｅｓ）はステップＳ２１１へ戻り、上述のフローに従って同様に修正を行う。
【００６０】
再度の日付修正の必要が無い場合（ステップＳ２１６；Ｎｏ）、使用者に日付以外の日付に関する項目についての修正が必要か判断（ステップＳ２１７）させ、使用者が必要と判断した場合（ステップＳ２１７；Ｙｅｓ）には、ステップＳ２１２へ戻り、上述のフローに従って同様に修正を行う。日付以外の項目についての修正も必要が無い場合（ステップＳ２１７；Ｎｏ）は、図５に示すステップＳ１２１に戻る。
【００６１】
即ち、図６に示す日付修正モードにより、日付そのもの及び日付に関する諸項目についての修正及び指定が可能となっている。
【００６２】
図５に戻り、ステップＳ１１９で日付修正の必要がないと使用者が判断した場合（ステップＳ１１９；Ｎｏ）は、日付に関する諸項目の修正の必要があるか否か、使用者に判断させ（ステップＳ１２０）、必要が有る場合（ステップＳ１２０；Ｙｅｓ）には、図６に示す日付修正モードのステップＳ２１２へ移行し、上述の日付以外の日付に関する諸項目についての修正を行った後、ステップＳ１２１に戻る。
【００６３】
また、上述のステップＳ１１７において、日付を画像と共にプリントしないと使用者が判断した場合（ステップＳ１１７；Ｎｏ）には、ステップＳ１１８〜Ｓ１２０をジャンプし、ステップＳ１２１へ移行する。
【００６４】
ステップＳ１２１では、選択したプリントしたいコマのプリント枚数、用紙サイズ、１枚に１コマ、４コマ、８コマ等のプリントフォーマット等を指定する。このステップＳ１２１で、プリントのために選択されたコマのプリント条件の設定が完了する。
【００６５】
以上のようにして設定された、プリント条件の全てを一時的に、画像ファイルのプリント条件記憶領域（図３参照）に格納する（ステップＳ１２２）。これでステップＳ１１４で選択したプリントしたい１コマのプリント条件設定が完了する。
【００６６】
次いで、プリントしたいコマの選択が終了か否かを使用者に判断させる（ステップＳ１２３）。更に、他にプリントしたいコマが有る場合（ステップＳ１２３；Ｎｏ）には、ステップＳ１１３へ戻り、上述と同様のフローに従うことになる。
【００６７】
一方、プリントしたいコマの選択が終了の場合（ステップＳ１２３；Ｙｅｓ）は、カメラのプリント開始釦を操作する（ステップＳ１２４）。プリント開始釦の操作に基づいて、カメラ側から、プリントを行うよう選択されたコマの格納されている本画像データ、プリント条件をプリンタ側へ送信し、送信中の画像をカメラの画像表示部に表示する（ステップＳ１２５）。この送信動作が完了するまで待機する（ステップＳ１２６）。送信が完了すると、このダイレクトプリントモードを終了するか否かを使用者に判断させる（ステップＳ１２６）。
【００６８】
使用者がダイレクトプリントモードを続行すると判断した場合（ステップＳ１２６；Ｎｏ）には、ステップＳ１１３へ戻り、上述と同様のフローに従うことになる。ダイレクトプリントモードを終了すると判断した場合（ステップＳ１２６；Ｙｅｓ）には、終了する。
【００６９】
プリンタは、以上のようにして設定された日付情報を含むプリント条件と本画像データに基づいて、プリントを行うことになる。
【００７０】
以上説明したように、ダイレクトプリント機能を備えたカメラにおいて、記録媒体に記録されている画像ファイルから、プリンターへ出力する画像を選択すると共に、少なくとも選択された画像に対応づけられた日付情報のプリントの有無を設定するプリント条件設定モードを有し、このプリント条件設定モードにおいて、プリンターへ出力される画像データと共に日付情報を画像表示部で確認可能とすることにより、プリントされる日付情報が確実に確認でき、必要に応じて修正を可能として、誤った日付情報が画像と共にプリントされることを防止できる電子カメラを得ることが可能となる。
【００７１】
なお、日付データをヘッダー領域に格納する例で説明したが、本画像データと日付データを画像合成処理により１画像に合成して本画像データとして記録するようにしてもよい。この場合には、プリンタ側へは合成された本画像データのみを送信すればよいことになる。
【００７２】
（第２の実施の形態）
以下、本発明に係る第２の実施の形態について説明する。本例は、カメラに着脱可能なメモリカードへ、撮影記録された画像データと、この画像データのプリント条件とを記録し、プリンタ等の出力機器でメモリカードに記録されている内容を読み取ってプリントする、プリント事前予約方式の機能を備えたデジタルカメラの例である。なお、記録媒体である画像記録用のメモリーカードに記録されている１駒分の画像ファイルのデータ構造は図３で示したものと同様である。
【００７３】
図７は、第２の実施の形態に係る電子カメラであるデジタルカメラ１１０のプリント事前予約方式のプリント条件設定モード時の概略動作を示すフローチャートである。この場合には、メモリーカードが挿入されたカメラ本体のみで構成される。同図に示すフローに従い説明する。
【００７４】
まず、カメラのメニューからプリント条件設定モードを選択する（ステップＳ３１１）。これは、カメラのメニュー／セット釦、選択釦等の操作釦を用いて、画像表示部に表示されるメニューから選択及びセットが行われる。
【００７５】
プリント条件設定モードとなると、カメラの画像表示部に撮影記録された画像をインデックス表示する（ステップＳ３１２）。なお、インデックス表示ではなく、コマ送りで表示するものでもよい。次いで、インデックス表示された画像から、プリントしたいコマを選択釦により、使用者に選択（ステップＳ３１３）させ、セット釦の操作（ステップＳ３１４）によりプリントするコマが選択される。この選択されたコマの画像を画像表示部全面を用いて大きく表示する（ステップＳ３１５）。
【００７６】
次に、使用者に日付を画像と共にプリントするか否かを判断させる（ステップＳ３１６）。ここでは、例えば、選択されたコマの画像に重ねて、日付のプリントをするか否かを表示し、使用者に選択させることで判断が行われる。
【００７７】
使用者が日付の写し込みを選択する（ステップＳ３１６；Ｙｅｓ）と、選択されたコマの画像に対応した撮影日のデータを読み出して、選択されたコマの画像に重ねて表示する（ステップＳ３１７）。撮影日のデータは、ヘッダー領域の本画像データに対応づけられた付帯情報から読み出されたものである（図３参照）。また、表示位置はデフォルトの位置として、例えば画面右下に表示される。
【００７８】
次いで、表示された日付を修正するか否かを使用者に判断させる（ステップＳ３１８）。ここでは、選択されたコマの画像とヘッダー領域から読み出された日付の表示に加えて、日付の修正をするか否かの選択をさせる表示を行い、使用者に選択させることで判断が行われる。
【００７９】
使用者が、日付の修正を選択する（ステップＳ３１８；Ｙｅｓ）と、図６の日付修正モードに移行する。即ち、例えば電池交換で日付情報がリセットされたままであったり、海外で現地時間に変更したままで帰国し日付修正を忘れたままで撮影が行われ、日付情報が誤って記録されている場合には、使用者が日付を修正するよう選択することで日付修正モードに入ることができる。
【００８０】
この日付修正モードは、図６と全く同様でよいので、詳細な説明は省略する。図６に示す日付修正モードで上述のように、日付及び日付以外の日付に関わる諸項目が設定され、ステップＳ２１７で、日付以外の項目についての修正も必要が無い場合（ステップＳ２１７；Ｎｏ）は、図７に示すステップＳ３２０に戻る。即ち、図６に示す日付修正モードにより、日付そのもの及び日付に関する諸項目についての修正及び指定が可能となっている。
【００８１】
図７に戻り、ステップＳ３１８で日付修正の必要がないと使用者が判断した場合（ステップＳ３１８；Ｎｏ）は、日付に関する諸項目の修正の必要があるか否か、使用者に判断させ（ステップＳ３１９）、必要が有る場合（ステップＳ３１９；Ｙｅｓ）には、図６に示す日付修正モードのステップＳ２１２へ移行し、上述の日付以外の日付に関する諸項目についての修正を行った後、ステップＳ３２０に戻る。
【００８２】
また、上述のステップＳ３１６において、日付を画像と共にプリントしないと使用者が判断した場合（ステップＳ３１６；Ｎｏ）には、ステップＳ３１７〜Ｓ３１９をジャンプし、ステップＳ３２０へ移行する。
【００８３】
ステップＳ３２０では、選択したプリントしたいコマのプリント枚数、用紙サイズ、１枚に１コマ、４コマ、８コマ等のプリントフォーマット等を指定する。このステップＳ３２０で、プリントのために選択されたコマのプリント条件の設定が完了する。
【００８４】
以上のようにして設定された、プリント条件の全てを、メモリカードの画像ファイルのプリント条件記憶領域（図３参照）に格納する（ステップＳ３２１）。これでステップＳ３１３で選択したプリントしたい１コマのプリント条件設定が完了する。
【００８５】
次いで、プリントしたいコマの選択が終了か否かを使用者に判断させる（ステップＳ３２２）。更に、他にプリントしたいコマが有る場合（ステップＳ３２２；Ｎｏ）には、ステップＳ３１２へ戻り、上述と同様のフローに従うことになる。
【００８６】
一方、プリントしたいコマの選択が終了した場合（ステップＳ３２２；Ｙｅｓ）は、プリント条件設定モードを終了する。
【００８７】
以上のようにしてメモリカードに記録された日付情報を含むプリント条件は、プリンター等の出力機器にメモリーカードを挿入することで本画像データと共に読み出され、設定されたプリント条件に基づいてプリントされることになる。また、カメラをＵＳＢを介してパーソナルコンピュータ（以下、ＰＣと称す）と接続した場合には、メモリカード内の本画像データと共にプリント条件が、ＰＣに読み出され、ＰＣ側からプリンタ側へ送出されることで画像と共に設定されたプリント条件に基づいてプリントが行われる。
【００８８】
以上説明したように、プリント事前予約方式の機能を備えたカメラにおいても、メモリカードに記録されている画像データから、プリントする画像を選択すると共に、選択された画像へ、少なくとも日付情報のプリントの有無を設定するプリント条件設定モードを有し、このプリント条件設定モードにおいて、選択された画像データの画像と共に日付情報を画像表示部で確認可能とすることにより、プリントされる日付情報が確実に確認でき、必要に応じて修正を可能として、誤った日付情報が画像と共にプリントされることを防止できる電子カメラを得ることが可能となる。
【００８９】
なお、本実施の形態においても、日付データをヘッダー領域に格納する例で説明したが、本画像データと日付データを画像合成処理により１画像に合成して本画像としてメモリカードに記録するようにしてもよい。
【００９０】
また、上記のフローにおいては、１コマずつ選択し、確認及び修正可能に構成した例で説明したが、一括して修正するフローを付加する等、各種の変形例も本発明を逸脱するものではないのは勿論である。
【図面の簡単な説明】
【００９１】
【図１】本発明に係る電子カメラであるデジタルカメラの外観を示す図である。
【図２】本実施の形態に係る電子カメラであるデジタルカメラの内部構成の一例を示す概略ブロック図である。
【図３】デジタルカメラ内の記録媒体である画像記録用のメモリーカードに記録されている１駒分の画像ファイルのデータ構造を示す図である。
【図４】第１の実施の形態に係る電子カメラであるデジタルカメラの画像プリント時の接続構成を示した模式図である。
【図５】第１の実施の形態に係る電子カメラであるデジタルカメラのダイレクトプリントモード時の概略動作を示すフローチャートである。
【図６】日付修正モードの概略を示すフローチャートである。
【図７】第２の実施の形態に係る電子カメラであるデジタルカメラのプリント事前予約方式のプリント条件設定モード時の概略動作を示すフローチャートである。
【符号の説明】
【００９２】
１４  信号処理部
１５  画像処理部
２０  ＲＯＭ
２５  時計回路
３０  操作スイッチ群
４０  制御部
５０  メモリーカード
８１  撮像光学系
８４  フラッシュ発光部
８３  レリーズ釦
８８  ＵＳＢ接続端子部
１００  画像表示部
１１０  デジタルカメラ
１２０  プリンタ
１３０  ＵＳＢケーブル
【図１】
2006229666.tif 000003
【図２】
2006229666.tif 000004
【図３】
2006229666.tif 000005
【図４】
2006229666.tif 000006
【図５】
2006229666.tif 000007
【図６】
2006229666.tif 000008
【図７】
2006229666.tif 000009